(57)【要約】  本願は、上りチャネルを復調するための上り復調信号を、免許不要スペクトルで正しく伝送することができる上り信号の伝送方法、端末デバイス及びネットワークデバイスを提供する。該方法は、端末デバイスが免許不要スペクトルにおける第１の時間ユニットにおいて、第１の復調信号と第１の伝送ブロックレートとマッチングされて得られた上りデータ送信することを含み、ここで、前記第１の復調信号が前記上りデータを復調するために使用され、前記第１の復調信号が占用するシンボルが第１のシンボルを含まず、ここで、前記第１のシンボルが前記第１の時間ユニット内の１番目のシンボル及び前記第１の時間ユニット内の最後のシンボルのうちの少なくとも１つのシンボルを含む。
2021529456.tif 000002
【特許請求の範囲】
【請求項１】
端末デバイスが、免許不要スペクトルにおける第１の時間ユニットにおいて、第１の復調信号と第１の伝送ブロックによりレートマッチングされた上りデータとをネットワークデバイスに送信することを含み、
前記第１の復調信号が前記上りデータを復調するために使用され、前記第１の復調信号が占用するシンボルが第１のシンボルを含まず、
前記第１のシンボルが前記第１の時間ユニット内の１番目のシンボル及び前記第１の時間ユニット内の最後のシンボルのうちの少なくとも１つのシンボルを含む
ことを特徴とする上り信号の伝送方法。
【請求項２】
前記方法は、さらに、
前記端末デバイスが前記第１の時間ユニットにおいて前記ネットワークデバイスに第２の復調信号をさらに送信することを含み、
前記第２の復調信号が前記上りデータを復調するために使用され、前記第２の復調信号が占用するシンボルが前記第１のシンボルを含まない
ことを特徴とする請求項１に記載の上り信号の伝送方法。
【請求項３】
前記第２の復調信号が占用するシンボルは、前記第１の復調信号が占用するシンボルを含まない
ことを特徴とする請求項２に記載の上り信号の伝送方法。
【請求項４】
前記第２の復調信号が占用するシンボルは、前記第１の復調信号が占用するシンボルに基づいて決定される
ことを特徴とする請求項２又は３に記載の上り信号の伝送方法。
【請求項５】
前記第１の復調信号が占用するシンボルは、標準規格で規定されている
ことを特徴とする請求項１〜４のいずれか１項に記載の上り信号の伝送方法。
【請求項６】
前記第１の復調信号が占用するシンボルは、前記第１の時間ユニット内の２番目のシンボルを含む
ことを特徴とする請求項１〜５のいずれか１項に記載の上り信号の伝送方法。
【請求項７】
前記第１の復調信号が占用するシンボルは、前記ネットワークデバイスが指示情報を介して前記端末デバイスに送信したものであり、
前記指示情報は、物理層シグナリング又は無線リソース制御ＲＲＣシグナリングである
ことを特徴とする請求項１〜４のいずれか１項に記載の上り信号の伝送方法。
【請求項８】
前記第１の復調信号が復調参照信号ＤＭＲＳを含み、前記第２の復調信号が上り制御情報ＵＣＩを含み、又は、
前記第１の復調信号がＵＣＩを含み、前記第２の復調信号がＤＭＲＳを含む
ことを特徴とする請求項１〜７のいずれか１項に記載の上り信号の伝送方法。
【請求項９】
前記ＵＣＩは、
前記第１の伝送ブロックに対応するハイブリッド自動要求再送ＨＡＲＱ識別子、前記端末デバイスの識別子、前記第１の時間ユニットの開始シンボル、前記第１の時間ユニットの終了シンボル、及び前記第１の伝送ブロックに含まれるコードブロックグループＣＢＧ指示のうちの少なくとも１つを含む
ことを特徴とする請求項８に記載の上り信号の伝送方法。
【請求項１０】
前記第１の時間ユニットにおける前記上りデータのマッピングの開始位置が前記第１の時間ユニット内の１番目のシンボルを含み、又は、前記第１の時間ユニットにおける前記上りデータのマッピングの終了位置が前記第１の時間ユニット内の１番目のシンボルを含む
ことを特徴とする請求項１〜９のいずれか１項に記載の上り信号の伝送方法。
【請求項１１】
ネットワークデバイスが、端末デバイスが免許不要スペクトルにおける第１の時間ユニットにおいて送信した、第１の復調信号と第１の伝送ブロックによりレートマッチングされた上りデータとを受信することを含み、
前記第１の復調信号が前記上りデータを復調するために使用され、前記第１の復調信号が占用するシンボルが第１のシンボルを含まず、
前記第１のシンボルが前記第１の時間ユニット内の１番目のシンボル及び前記第１の時間ユニット内の最後のシンボルのうちの少なくとも１つのシンボルを含む
ことを特徴とする上り信号の伝送方法。
【請求項１２】
前記方法は、さらに、
前記ネットワークデバイスが、前記端末デバイスが前記第１の時間ユニットにおいて送信した第２の復調信号をさらに受信することを含み、
前記第２の復調信号が前記上りデータを復調するために使用され、前記第２の復調信号が占用するシンボルが前記第１のシンボルを含まない
ことを特徴とする請求項１１に記載の上り信号の伝送方法。
【請求項１３】
前記第２の復調信号が占用するシンボルは、前記第１の復調信号が占用するシンボルを含まない
ことを特徴とする請求項１２に記載の上り信号の伝送方法。
【請求項１４】
前記第２の復調信号が占用するシンボルは、前記第１の復調信号が占用するシンボルに基づいて決定される
ことを特徴とする請求項１２又は１３に記載の上り信号の伝送方法。
【請求項１５】
前記第１の復調信号が占用するシンボルは、標準規格で規定されている
ことを特徴とする請求項１１〜１４のいずれか１項に記載の上り信号の伝送方法。
【請求項１６】
前記第１の復調信号が占用するシンボルは、前記第１の時間ユニット内の２番目のシンボルを含む
ことを特徴とする請求項１１〜１５のいずれか１項に記載の上り信号の伝送方法。
【請求項１７】
前記第１の復調信号が占用するシンボルは、前記ネットワークデバイスが指示情報を介して前記端末デバイスに送信したものであり、
前記指示情報は、物理層シグナリング又は無線リソース制御ＲＲＣシグナリングである
ことを特徴とする請求項１１〜１４のいずれか１項に記載の上り信号の伝送方法。
【請求項１８】
前記第１の復調信号が復調参照信号ＤＭＲＳを含み、前記第２の復調信号が上り制御情報ＵＣＩを含み、又は、
前記第１の復調信号がＵＣＩを含み、前記第２の復調信号がＤＭＲＳを含む
ことを特徴とする請求項１１〜１７のいずれか１項に記載の上り信号の伝送方法。
【請求項１９】
前記ＵＣＩは、
前記第１の伝送ブロックに対応するハイブリッド自動要求再送ＨＡＲＱ識別子、前記端末デバイスの識別子、前記第１の時間ユニットの開始シンボル、前記第１の時間ユニットの終了シンボル、及び前記第１の伝送ブロックに含まれるコードブロックグループＣＢＧ指示のうちの少なくとも１つを含む
ことを特徴とする請求項１８に記載の上り信号の伝送方法。
【請求項２０】
前記第１の時間ユニットにおける前記上りデータのマッピングの開始位置が前記第１の時間ユニット内の１番目のシンボルを含み、又は、前記第１の時間ユニットにおける前記上りデータのマッピングの終了位置が前記第１の時間ユニット内の１番目のシンボルを含む
ことを特徴とする請求項１１〜１９のいずれか１項に記載の上り信号の伝送方法。
【請求項２１】
送信ユニットを備える端末デバイスであって、
前記送信ユニットは、免許不要スペクトルにおける第１の時間ユニットにおいて第１の復調信号と第１の伝送ブロックによりレートマッチングされた上りデータとをネットワークデバイスに送信するように構成され、
前記第１の復調信号が前記上りデータを復調するために使用され、前記第１の復調信号が占用するシンボルが第１のシンボルを含まず、
前記第１のシンボルが前記第１の時間ユニット内の１番目のシンボル及び前記第１の時間ユニット内の最後のシンボルのうちの少なくとも１つのシンボルを含む
ことを特徴とする端末デバイス。
【請求項２２】
前記送信ユニットは、さらに、前記第１の時間ユニットにおいて前記ネットワークデバイスに第２の復調信号を送信するように構成され、
前記第２の復調信号が前記上りデータを復調するために使用され、前記第２の復調信号が占用するシンボルが前記第１のシンボルを含まない
ことを特徴とする請求項２１に記載の端末デバイス。
【請求項２３】
前記第２の復調信号が占用するシンボルは、前記第１の復調信号が占用するシンボルを含まない
ことを特徴とする請求項２２に記載の端末デバイス。
【請求項２４】
前記第２の復調信号が占用するシンボルは、前記第１の復調信号が占用するシンボルに基づいて決定される
ことを特徴とする請求項２２又は２３に記載の端末デバイス。
【請求項２５】
前記第１の復調信号が占用するシンボルは、標準規格で規定されている
ことを特徴とする請求項２１〜２４のいずれか１項に記載の端末デバイス。
【請求項２６】
前記第１の復調信号が占用するシンボルは、前記第１の時間ユニット内の２番目のシンボルを含む
ことを特徴とする請求項２１〜２５のいずれか１項に記載の端末デバイス。
【請求項２７】
前記第１の復調信号が占用するシンボルは、前記ネットワークデバイスが指示情報を介して前記端末デバイスに送信したものであり、前記指示情報は、物理層シグナリング又は無線リソース制御ＲＲＣシグナリングである
ことを特徴とする請求項２１〜２４のいずれか１項に記載の端末デバイス。
【請求項２８】
前記第１の復調信号が復調参照信号ＤＭＲＳを含み、前記第２の復調信号が上り制御情報ＵＣＩを含み、又は、
前記第１の復調信号がＵＣＩを含み、前記第２の復調信号がＤＭＲＳを含む
ことを特徴とする請求項２１〜２７のいずれか１項に記載の端末デバイス。
【請求項２９】
前記ＵＣＩは、
前記第１の伝送ブロックに対応するハイブリッド自動要求再送ＨＡＲＱ識別子、前記端末デバイスの識別子、前記第１の時間ユニットの開始シンボル、前記第１の時間ユニットの終了シンボル、及び前記第１の伝送ブロックに含まれるコードブロックグループＣＢＧ指示のうちの少なくとも１つを含む
ことを特徴とする請求項２８に記載の端末デバイス。
【請求項３０】
前記第１の時間ユニットにおける前記上りデータのマッピングの開始位置が前記第１の時間ユニット内の１番目のシンボルを含み、又は、前記第１の時間ユニットにおける前記上りデータのマッピングの終了位置が前記第１の時間ユニット内の１番目のシンボルを含む
ことを特徴とする請求項２１〜２９のいずれか１項に記載の端末デバイス。
【請求項３１】
受信ユニットを備えるネットワークデバイスであって、
前記受信ユニットは、端末デバイスが免許不要スペクトルにおける第１の時間ユニットにおいて送信した、第１の復調信号と第１の伝送ブロックによりレートマッチングされた上りデータとを受信するように構成され、
前記第１の復調信号が前記上りデータを復調するために使用され、前記第１の復調信号が占用するシンボルが第１のシンボルを含まず、
前記第１のシンボルが前記第１の時間ユニット内の１番目のシンボル及び前記第１の時間ユニット内の最後のシンボルのうちの少なくとも１つのシンボルを含む
ことを特徴とするネットワークデバイス。
【請求項３２】
前記受信ユニットは、さらに、前記端末デバイスが前記第１の時間ユニットにおいて送信した第２の復調信号を受信するように構成され、
前記第２の復調信号が前記上りデータを復調するために使用され、前記第２の復調信号が占用するシンボルが前記第１のシンボルを含まない
ことを特徴とする請求項３１に記載のネットワークデバイス。
【請求項３３】
前記第２の復調信号が占用するシンボルは、前記第１の復調信号が占用するシンボルを含まない
ことを特徴とする請求項３２に記載のネットワークデバイス。
【請求項３４】
前記第２の復調信号が占用するシンボルは、前記第１の復調信号が占用するシンボルに基づいて決定される
ことを特徴とする請求項３２又は３３に記載のネットワークデバイス。
【請求項３５】
前記第１の復調信号が占用するシンボルは、標準規格で規定されている
ことを特徴とする請求項３１〜３４のいずれか１項に記載のネットワークデバイス。
【請求項３６】
前記第１の復調信号が占用するシンボルは、前記第１の時間ユニット内の２番目のシンボルを含む
ことを特徴とする請求項３１〜３５のいずれか１項に記載のネットワークデバイス。
【請求項３７】
前記第１の復調信号が占用するシンボルは、前記ネットワークデバイスが指示情報を介して前記端末デバイスに送信したものであり、
前記指示情報は、物理層シグナリング又は無線リソース制御ＲＲＣシグナリングである
ことを特徴とする請求項３１〜３４のいずれか１項に記載のネットワークデバイス。
【請求項３８】
前記第１の復調信号が復調参照信号ＤＭＲＳを含み、前記第２の復調信号が上り制御情報ＵＣＩを含み、又は、
前記第１の復調信号がＵＣＩを含み、前記第２の復調信号がＤＭＲＳを含む
ことを特徴とする請求項３１〜３７のいずれか１項に記載のネットワークデバイス。
【請求項３９】
前記ＵＣＩは、
前記第１の伝送ブロックに対応するハイブリッド自動要求再送ＨＡＲＱ識別子、前記端末デバイスの識別子、前記第１の時間ユニットの開始シンボル、前記第１の時間ユニットの終了シンボル、及び前記第１の伝送ブロックに含まれるコードブロックグループＣＢＧ指示のうちの少なくとも１つを含む
ことを特徴とする請求項３８に記載のネットワークデバイス。
【請求項４０】
前記第１の時間ユニットにおける前記上りデータのマッピングの開始位置が前記第１の時間ユニット内の１番目のシンボルを含み、又は、
前記第１の時間ユニットにおける前記上りデータのマッピングの終了位置が前記第１の時間ユニット内の１番目のシンボルを含む
ことを特徴とする請求項３１〜３９のいずれか１項に記載のネットワークデバイス。
【請求項４１】
コンピュータプログラムを記憶するためのメモリと、
前記メモリに記憶されたコンピュータプログラムを呼び出して実行し、請求項１〜２０のいずれか１項に記載の方法を実行するためのプロセッサと、を備える
ことを特徴とする通信デバイス。
【請求項４２】
コンピュータプログラムをメモリから呼び出して実行し、請求項１から１０のいずれか１項に記載の方法をチップが搭載されるデバイスに実行させるプロセッサを備える
ことを特徴とするチップ。
【請求項４３】
コンピュータプログラムをメモリから呼び出して実行し、請求項１１から２０のいずれか１項に記載の方法をチップが搭載されるデバイスに実行させるプロセッサを備える
ことを特徴とするチップ。
【請求項４４】
請求項１から１０のいずれか１項に記載の方法をコンピュータに実行させるコンピュータプログラムを記憶する
ことを特徴とするコンピュータ可読記憶媒体。
【請求項４５】
請求項１１から２０のいずれか１項に記載の方法をコンピュータに実行させるコンピュータプログラムを記憶する
ことを特徴とするコンピュータ可読記憶媒体。
【請求項４６】
請求項１から１０のいずれか１項に記載の方法をコンピュータに実行させるコンピュータプログラム命令を含む
ことを特徴とするコンピュータプログラム製品。
【請求項４７】
請求項１１から２０のいずれか１項に記載の方法をコンピュータに実行させるコンピュータプログラム命令を含む
ことを特徴とするコンピュータプログラム製品。
【請求項４８】
請求項１から１０のいずれか１項に記載の方法をコンピュータに実行させる
ことを特徴とするコンピュータプログラム。
【請求項４９】
請求項１１から２０のいずれか１項に記載の方法をコンピュータに実行させる
ことを特徴とするコンピュータプログラム。
【発明の詳細な説明】
【技術分野】
【０００１】
本願の実施例は、通信技術分野に関し、具体的に、上り信号の伝送方法、端末デバイス及びネットワークデバイスに関する。
【背景技術】
【０００２】
５Ｇアプリケーションなどの新しいラジオ( Ｎｅｗ Ｒａｄｉｏ、ＮＲ )システムでは、免許不要( ｕｎｌｉｃｅｎｓｅｄ )スペクトルが使用されてもよく、すなわち、免許不要スペクトルのチャネル上でＮＲ技術を使用して通信されてもよい。免許不要スペクトルを用いて無線通信を行う各無線通信システムが、そのスペクトル上で容易に共存できるようにするために、免許不要スペクトルを用いることが満たさなければならない法規要件がある国や地域によって規定されている。例えば、欧州地域では、通信デバイスは、「ＬＢＴ」（ｌｉｓｔｅｎ−ｂｅｆｏｒｅ−ｔａｌｋ）の原則に従っており、即ち、通信デバイスは、免許不要スペクトルのチャネル上で信号送信を行う前に、免許不要スペクトルのチャネル上でチャネルリッスンを行う必要があり、チャネルリッスン結果がチャネル空きである場合にのみ、信号送信を行うことができ、チャネルリッスンの結果、チャネルがビジーであれば、通信デバイスは信号の送信を行うことができない。
【０００３】
しかしながら、ＮＲ−Ｕ （ Ｎｅｗ Ｒａｄｉｏ−Ｕｎｌｉｃｅｎｓｅｄ )システムでは、端末デバイスが上りグラント( Ｃｏｎｆｉｇｕｒｅ Ｇｒａｎｔ Ｕｐｌｉｎｋ )を構成するデータ伝送を行う場合、端末デバイスが上り伝送を行うための時間領域リソースは、ネットワークデバイスが予め構成しておき、ここで、端末デバイスは、その予め構成した時間領域リソース上で上りデータと、その上りデータを復調するための復調信号とを伝送することができる。しかし、例えば、端末デバイスが他の通信デバイスと免許不要スペクトルで多重伝送を行うためにＬＢＴの検出ギャップを確保するために、端末デバイスは、ネットワークデバイスにより予め構成された時間領域リソースの一部で伝送を行うことができない場合がある。
【０００４】
したがって、上りデータを復調するための復調信号を免許不要スペクトルにおいて正確に伝送するための免許不要スペクトル上の上り信号伝送方法を提供することが課題である。
【発明の概要】
【０００５】
本願の実施例は、上りデータを復調するための復調信号を免許不要スペクトルにおいて正確に伝送することができる上り信号の伝送方法、端末デバイス及びネットワークデバイスを提供する。
【０００６】
第１の態様は、上り信号の伝送方法を提供し、
端末デバイスが免許不要スペクトルにおける第１の時間ユニットにおいて第１の復調信号と第１の伝送ブロックによりレートマッチングされた上りデータとをネットワークデバイスに送信することを含み、ここで、前記第１の復調信号が前記上りデータを復調するために使用され、前記第１の復調信号が占用するシンボルが第１のシンボルを含まず、
ここで、前記第１のシンボルが前記第１の時間ユニット内の１番目のシンボル及び前記第１の時間ユニット内の最後のシンボルのうちの少なくとも１つのシンボルを含む。
【０００７】
第２の態様は、上り信号の伝送方法を提供し、
ネットワークデバイスが、端末デバイスが免許不要スペクトルにおける第１の時間ユニットに送信した、第１の復調信号と第１の伝送ブロックによりレートマッチングされた上りデータとを受信することを含み、ここで、前記第１の復調信号が前記上りデータを復調するために使用され、前記第１の復調信号が占用するシンボルが第１のシンボルを含まず、
ここで、前記第１のシンボルが前記第１の時間ユニット内の１番目のシンボル及び前記第１の時間ユニット内の最後のシンボルのうちの少なくとも１つのシンボルを含む。
【０００８】
第３の態様は、上記第１の態様またはその様々な実装形態における方法を実行するための端末デバイスを提供する。
【０００９】
具体的には、該端末デバイスは、上記の第１の態様またはその様々な実装形態における方法を実行するための機能モジュールを含む。
【００１０】
第４の態様は、上記第２の態様またはその様々な実装形態における方法を実行するためのネットワークデバイスを提供する。
【００１１】
具体的には、該ネットワークデバイスは、上記の第２の態様またはその様々な実装形態における方法を実行するための機能モジュールを含む。
【００１２】
第５の態様は、プロセッサとメモリとを含む通信デバイスを提供する。このメモリは、コンピュータプログラムを記憶し、このプロセッサは、このメモリに記憶されたコンピュータプログラムを呼び出して実行し、上記第１の態様から上記第２の態様のいずれか又はその各実施態様における方法を実行する。
【００１３】
第６の態様は、上記第１の態様またはその様々な実装における方法を実装するためのチップを提供する。
【００１４】
具体的には、このチップは、コンピュータプログラムをメモリから呼び出して実行し、チップが搭載された装置に上記の第１の態様から第２の態様のいずれか１つまたはそれらの各実装態様における方法を実行させるプロセッサを含む。
【００１５】
第７の態様は、コンピュータに、上記第１の態様から上記第２の態様のいずれか１つまたはその各実装形態における方法を実行させるコンピュータプログラムを記憶するためのコンピュータ可読記憶媒体を提供する。
【００１６】
第８の態様は、コンピュータに、上記第１の態様から上記第２の態様のいずれか１つまたはそれらのそれぞれの実装における方法を実行させるコンピュータプログラム命令を含むコンピュータプログラム製品を提供する。
【００１７】
第９の態様は、コンピュータ上で実行されると、コンピュータに、第１の態様から第２の態様のいずれか１つまたはその様々な実装形態における方法を実行させるコンピュータプログラムを提供する。
【００１８】
上記の技術案によって、端末デバイスが免許不要スペクトルにおける第１の時間ユニットにおいて第１の復調信号と第１の伝送ブロックによりレートマッチングされた上りデータとをネットワークデバイスに送信し、ここで、前記第１の復調信号が前記上りデータを復調するために使用され、前記第１の復調信号が占用するシンボルが第１のシンボルを含まず、ここで、前記第１のシンボルが前記第１の時間ユニット内の１番目のシンボル及び前記第１の時間ユニット内の最後のシンボルのうちの少なくとも１つのシンボルを含み、
ネットワークデバイスが予め構成した時間領域リソースにおいて、端末デバイスが伝送できない可能性のあるリソースの一部を上りデータを復調ための復調信号が占用しないことを回避することができ、免許不要スペクトル上で上りデータの復調に用いる復調信号を正しく伝送することができる。
【図面の簡単な説明】
【００１９】
【図１】本願の実施例における通信システムアーキテクチャの模式図である。
【図２Ａ】本願の実施例における上り信号の伝送方法のフローチャートである。
【図２Ｂ】図２Ａに対応する実施例における第１の復調信号、第２の復調信号及び上りデータのマッピングの模式図である。
【図２Ｃ】図２Ａに対応する実施例における第１の復調信号、第２の復調信号及び上りデータのマッピングの模式図である。
【図２Ｄ】図２Ａに対応する実施例における第１の復調信号、第２の復調信号及び上りデータのマッピングの模式図である。
【図２Ｅ】図２Ａに対応する実施例における第１の復調信号、第２の復調信号及び上りデータのマッピングの模式図である。
【図２Ｆ】図２Ａに対応する実施例における第１の復調信号、第２の復調信号及び上りデータのマッピングの模式図である。
【図２Ｇ】図２Ａに対応する実施例における第１の復調信号、第２の復調信号及び上りデータのマッピングの模式図である。
【図２Ｈ】図２Ａに対応する実施例における第１の復調信号、第２の復調信号及び上りデータのマッピングの模式図である。
【図３】本願の実施例における他の上り信号の伝送方法のフローチャートである。
【図４】本願の実施例における端末デバイスのブロック図である。
【図５】本願の実施例におけるネットワークデバイスのブロック図である。
【図６】本願の実施例における通信デバイスのブロック図である。
【図７】本願の実施例におけるチップのブロック図である。
【図８】本願の実施例における通信システムのブロック図である。
【発明を実施するための形態】
【００２０】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００２１】
本願の実施例の技術案は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００２２】
本願の実施例の技術的方式は、免許スペクトルでも免許不要スペクトルでも適用されてもよく、本願の実施例はこれに特に限定されない。
【００２３】
本願の実施例が適用される通信システム１００は、例えば図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局（ ＮｏｄｅＢ、ＮＢ ）、ＬＴＥシステムにおける発展型基地局（ Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２４】
通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク；および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのジタルテレビジョンネットワーク、衛星ネットワーク、ＡM-ＦM放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されなく、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み得る；従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ（ Ｗｉｒｅｌｅｓｓ Ｌｏｃａｌ Ｌｏｏｐ、ＷＬＬ ）局、パーソナルデジタル処理（ Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００２５】
任意選択で、端末デバイス１２０間の端末直接接続( Ｄｅｖｉｃｅ ｔｏ Ｄｅｖｉｃｅ、Ｄ２Ｄ )通信が行われてもよい。
【００２６】
任意選択で、５Ｇシステム又は５Ｇネットワークは、新たなラジオ( Ｎｅｗ Ｒａｄｉｏ、ＮＲ )システム又はＮＲネットワークとも呼ばれ得る。
【００２７】
図１は、１つのネットワークデバイス及び２つの端末デバイスを例示的に示し、任意選択で、この通信システム１００は、複数のネットワークデバイスを含んでもよく、各ネットワークデバイスのカバレージ内に他の数の端末デバイスを含んでもよく、本願の実施例はこれに限定されない。
【００２８】
任意選択で、通信システム１００は、ネットワークコントローラ、モビリティ管理エンティティなどの他のネットワークエンティティをさらに含むことができ、本願の実施例はこれに限定されない。
【００２９】
なお、本願の実施例におけるネットワーク/システムにおける通信機能を有する装置を通信デバイスと呼ぶ場合がある。図１に示す通信システム１００を例にとると、通信デバイスは、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００３０】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００３１】
図２Ａは本願の実施例における上り信号の伝送方法２００のフローチャートであり、図２Ａは以下のステップを含む。
【００３２】
２１０において、端末デバイスが免許不要スペクトルにおける第１の時間ユニットにおいて第１の復調信号と第１の伝送ブロックによりレートマッチングされた上りデータとをネットワークデバイスに送信し、ここで、前記第１の復調信号が前記上りデータを復調するために使用され、前記第１の復調信号が占用するシンボルが第１のシンボルを含まない。
【００３３】
なお、前記第１の時間ユニットは、１つのスロットであり得、例えば、第１の時間ユニットは、１４個のシンボルを含み、または、サブスロット(ここで、１つのサブスロットはＮ個のシンボルを含み、Ｎは２以上１４未満の整数である)であってもよく、例えば、第１の時間ユニットは７個のシンボルを含んでもよいし、複数のスロットのセットであってもよく、例えば、第１の時間ユニットは、１２個のスロットのセットを含んでもよいし、複数のサブスロットのセットであってもよく、例えば、第１の時間ユニットは、２つのサブスロットのセットを含んでもよく、ここで、１つのサブスロットは４つのシンボルを含み、他のサブスロットは７つのシンボルを含み、などである。この実施例は、これを特に限定しない。
【００３４】
ここで、前記第１のシンボルは、前記第１の時間ユニット内の１番目のシンボル及び前記第１の時間ユニット内の最後のシンボルのうち少なくとも１つを含むが、これに限定されず、この実施例は、これを特に限定しない。
【００３５】
第１の時間ユニットが１４個のシンボルを含むスロットである場合を例にとると、シンボルは０から番号を付け、すなわち、１つのスロットは、シンボル０、シンボル１、……、シンボル１３を含み、前記第１のシンボルは、シンボル０およびシンボル１３のうちの少なくとも１つのシンボルを含むことができる。
【００３６】
任意選択で、この実施例の実現可能な形態において、前記端末デバイスは、さらに、前記第１の時間ユニットにおいて前記ネットワークデバイスに第２の復調信号を送信し、ここで、前記第２の復調信号が前記上りデータを復調するために使用され、前記第２の復調信号が占用するシンボルが前記第１のシンボルを含まない。
【００３７】
一つの具体的な実現過程において、前記第１の復調信号は復調参照信号( Ｄｅｍｏｄｕｌａｔｉｏｎ Ｒｅｆｅｒｅｎｃｅ Ｓｉｇｎａｌ、ＤＭＲＳ )を含み、前記第２の復調信号は上り制御情報( Ｕｐｌｉｎｋ Ｃｏｎｔｒｏｌ Ｉｎｆｏｒｍａｔｉｏｎ、ＵＣＩ )を含み、又は、前記第１の復調信号はＵＣＩを含み、前記第２の復調信号はＤＭＲＳを含み、この実施例はこれを特に限定しない。
【００３８】
他の具体的な実現過程において、前記第２の復調信号が占用するシンボルは、前記第１の復調信号が占用するシンボルを含まなくてもよい。
【００３９】
なお、本願の実施例において、復調信号があるシンボルを占用するとは、該復調信号が当該シンボル上のリソースの全部又は一部により伝送されることを意味し、この実施例はこれを特に限定しない。
【００４０】
他の具体的な実現過程において、前記第２の復調信号が占用するシンボルは、さらに、前記第１の復調信号が占用するシンボルを含み、即ち、第１の復調信号が該シンボル上の一部のリソースで伝送され、第２の復調信号も該シンボル上の一部のリソースで伝送される。
【００４１】
他の具体的な実現過程において、前記第２の復調信号が占用するシンボルは、具体的に、前記第１の復調信号が占用するシンボルに基づいて決定される。
【００４２】
例えば、前記第２の復調信号が占用するシンボルは、前記第１の復調信号が占用するシンボルの後の第１のシンボルを含み得る。第１の時間ユニットが１４個のシンボルを含むスロットである場合を例にとると、シンボルが０から番号を付け、すなわち、１つのスロットは、シンボル０、シンボル１、……、シンボル１３を含み、第１のシンボルがシンボル０で、第１の復調信号が占用するシンボルがシンボル１である場合、第２の復調信号が占用するシンボルは、図２Ｂに示されるように、シンボル２を含むことができる。
【００４３】
また、例えば、前記第２の復調信号が占用するシンボルは、前記第１の復調信号が占用するシンボルの直前の最終シンボルを含んでもよい。第１の時間ユニットが１４シンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル３である場合、第２の復調信号が占用するシンボルは、図２Ｃに示されるように、シンボル２を含むことができる。
【００４４】
また、例えば、前記第２の復調信号が複数のシンボルを占用し、前記第２の復調信号が占用するシンボルのうちの１番目のシンボルは、前記第１の復調信号が占用するシンボルの後の１番目のシンボルである。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルのうちの１番目のシンボルがシンボル２である。
【００４５】
また、例えば、前記第１の復調信号が複数のシンボルを占用し、前記第２の復調信号が占用するシンボルは、前記第１の復調信号が占用する１番目のシンボルの後の１番目のシンボルを含む。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１及びシンボル８である場合、第２の復調信号が占用するシンボルがシンボル２を含む。
【００４６】
また、例えば、ＬＢＴの検出ギャップを確保してこの端末デバイスが免許不要スペクトルで他の通信デバイスと多重伝送を行うために、この端末デバイスがネットワークデバイスに予め構成された時間領域リソースの一部、例えば１つのスロットの１番目のシンボルである０シンボル、最後のシンボルである１３シンボル等の特定位置シンボルでの伝送ができない場合があるため、免許不要スペクトル上で、この実施例で提供する第１の復調信号、第２の復調信号及び上りデータのマッピング構成を用いることで、端末デバイスがネットワークデバイスに予め構成された時間領域リソースで伝送できない可能性のある一部のリソースを上りデータの復調するための復調信号が占用しないことを回避することができ、免許不要スペクトル上で上りデータの復調信号を正しく伝送することができる。
【００４７】
第１の復調信号がＤＭＲＳであり、第２の復調信号がＵＣＩである場合を例にとると、ＤＭＲＳが占用するシンボルがシンボル１であり、ＵＣＩが占用するシンボルがシンボル２である場合、上りデータが占用するリソースは、１つのスロットにおいてＤＭＲＳおよびＵＣＩによって占用されていない他のリソースを含む。
【００４８】
以上の原理により、連続する３つのスロット伝送でＣｏｎｆｉｇｕｒｅ Ｇｒａｎｔ Ｕｐｌｉｎｋの物理上り共有チャネル( Ｐｈｙｓｉｃａｌ Ｕｐｌｉｎｋ Ｓｈａｒｅｄ Ｃｈａｎｎｅｌ、ＰＵＳＣＨ )伝送を行い、各スロットで１つのスロットの全スロットを伝送するマッピング方式を図２ ( Ｄ )に示す。
【００４９】
また、上記の原理に基づき、連続する３つのスロット伝送でＣｏｎｆｉｇｕｒｅ Ｇｒａｎｔ ＵｐｌｉｎｋのＰＵＳＣＨ伝送を行い、かつ、連続した３スロットのうち一部のシンボルを伝送しない可能性がある(例えば、１番目のスロットでシンボル０を伝送しなく、２番目のスロットでシンボル０及びシンボル１３を伝送しない )のマッピング方式を、図２ ( Ｅ )に示すようにしてもよく、図中のＸは送信しないことを示す。
【００５０】
図２ ( Ｄ )及び( Ｅ )に示すように、上記の２つの上り伝送の過程では、ＤＭＲＳ及びＵＣＩの位置が共に破棄できないシンボル上に位置しているため、上りデータを復調するための復調信号が免許不要スペクトルで正しく伝送されるように保証される。
【００５１】
他の具体的な実現過程において、前記第１の復調信号が占用するシンボルは、標準仕様によって規定され得る。
【００５２】
例えば、前記第１の復調信号が占用するシンボルは、具体的に、前記第１の時間ユニット内の２番目のシンボルを含む。
【００５３】
他の具体的な実現過程において、前記第１の復調信号が占用するシンボルは、前記ネットワークデバイスが指示情報を介して前記端末デバイスに送信したものであっても良い。
【００５４】
ここで、前記指示情報は、物理層シグナリングであってもよく、或いはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )シグナリングであってもよく、或いは無線リソース制御( Ｒａｄｉｏ Ｒｅｓｏｕｒｃｅ Ｃｏｎｔｒｏｌ、ＲＲＣ )シグナリングであってもよく、この実施例はこれに限定されない。
【００５５】
指示情報は、物理階層シグナリングである場合、物理階層シグナリングを通じて表示または暗黙的な指示を示すことができる。
【００５６】
例えば、ネットワークデバイスは、下り制御情報( Ｄｏｗｎｌｉｎｋ ｃｏｎｔｒｏｌ ｉｎｆｏｒｍａｔｉｏｎ、ＤＣI )によって、端末デバイスに第１の復調信号が占用するシンボル(または第１の復調信号が占用する１番目のシンボル、または第１の復調信号が占用する最後のシンボル)を示す。ここで、前記ＤＣIは、ネットワークデバイスが端末デバイスに第１の時間ユニットを使用し得るか、使用を禁止され得るかを指示する情報さらに含む。
【００５７】
また、例えば、ＤＣIフォーマット１は、第１の復調信号が占用するシンボル(たとえば、第１の復調信号がシンボル３を占用する )に対応し、ＤＣIフォーマット２は、第１の復調信号が占用する他のシンボル(たとえば、第１の復調信号がシンボル５を占用する )に対応する。端末デバイスがＤＣIフォーマット１を受信すると、第１の復調信号が占用するシンボルがシンボル３を含むと決定され、端末デバイスがＤＣIフォーマット２を受信すると、第１の復調信号が占用するシンボルがシンボル５を含むと決定され得る。
【００５８】
なお、指示情報は、ＲＲＣシグナリングと物理層シグナリングとの組合せであってもよい。例えば、ネットワークデバイスは、第１の復調信号がシンボルを占用する少なくとも２つのタイプの構成を構成し、端末デバイスが１回の上り伝送で少なくとも２つのタイプの構成のいずれを使用すべきかをＤＣIにより示す。
【００５９】
任意選択で、この実施例では、ＵＣＩは、上りデータを復調するための制御情報を含んでいるので、上りデータを復調するために必要な復調信号であるとも言える。
【００６０】
ここで、前記ＵＣＩは、
前記第１の伝送ブロックに対応するハイブリッド自動要求再送（Ｈｙｂｒｉｄ Ａｕｔｏｍａｔｉｃ Ｒｅｐｅａｔ ｒｅＱｕｅｓｔ、ＨＡＲＱ）識別子、前記端末デバイスの識別子、前記第１の時間ユニットの開始シンボル、前記第１の時間ユニットの終了シンボル及び前記第１の伝送ブロックに含まれるコードブロックグループ（Ｃｏｄｅ Ｂｌｏｃｋ Ｇｒｏｕｐ、ＣＢＧ）指示のうち少なくとも一つを含むことができるが、これに限定されない。
【００６１】
例えば、前記第１の時間ユニットにおける前記上りデータのマッピングの開始位置は、前記第１の時間ユニット内の１番目のシンボルを含む。この場合、上りデータは、前記第１の時間ユニット内の１番目のシンボルからマッピングされ、第１の時間ユニット内の最後のシンボルまでマッピング終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル０からマッピングされ、シンボル１３までマッピングが終了し、図２Ｆに示すように、そのマッピング方式が簡単である。
【００６２】
また、例えば、前記上りデータが前記第１の時間ユニットにおいてマッピングの開始位置は、前記第１の時間ユニットの１番目のシンボル以外の１つのシンボルを含み、ここで、前記第１の時間ユニットにおいて１番目のシンボルに上りデータがマッピングされない。このように、上りデータが前記第１の時間ユニット内の１番目のシンボル以外のあるシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３までマッピングが終了し、ここで、図２Ｇに示すように、シンボル０に上りデータがマッピングされない。
【００６３】
また、例えば、前記第１の時間ユニットにおける前記上りデータのマッピングの終了位置は、前記第１の時間ユニット内の１番目のシンボルを含む。このように、上りデータが前記第１の時間ユニット内の他のシンボルからマッピングされ、最後のシンボルから１番目のシンボルに戻ってマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３を経由してシンボル０に戻ってマッピングが終了し、図２Ｈに示すように、そのマッピング方式が複雑であるが、上りデータのシステム情報の伝送が保証される。
【００６４】
この実施例において、端末デバイスが免許不要スペクトルにおける第１の時間ユニットにおいて第１の復調信号と第１の伝送ブロックによりレートマッチングされた上りデータとをネットワークデバイスに送信し、ここで、前記第１の復調信号が前記上りデータを復調するために使用され、前記第１の復調信号が占用するシンボルが第１のシンボルを含まず、ここで、前記第１のシンボルが前記第１の時間ユニット内の１番目のシンボル及び前記第１の時間ユニット内の最後のシンボルのうちの少なくとも１つのシンボルを含むことで、端末デバイスがネットワークデバイスに予め構成された時間領域リソースで伝送できない可能性のある一部のリソースを上りデータの復調するための復調信号が占用しないことを回避することができ、免許不要スペクトル上で上りデータの復調信号を正しく伝送することができる。
【００６５】
図３は本願の実施例における他の上り信号の伝送方法３００のフローチャートであり、図３は以下のステップを含む。
【００６６】
３１０において、ネットワークデバイスが、端末デバイスが免許不要スペクトルにおける第１の時間ユニットに送信した、第１の復調信号と第１の伝送ブロックによりレートマッチングされた上りデータとを受信し、ここで、前記第１の復調信号が前記上りデータを復調するために使用され、前記第１の復調信号が占用するシンボルが第１のシンボルを含まない。
【００６７】
なお、前記第１の時間ユニットは、１つのスロットであり得、例えば、第１の時間ユニットは、１４個のシンボルを含み、または、サブスロット(ここで、１つのサブスロットはＮ個のシンボルを含み、Ｎは２以上１４未満の整数である)であってもよく、例えば、第１の時間ユニットは７個のシンボルを含んでもよいし、複数のスロットのセットであってもよく、例えば、第１の時間ユニットは、１２個のスロットのセットを含んでもよいし、複数のサブスロットのセットであってもよく、例えば、第１の時間ユニットは、２つのサブスロットのセットを含んでもよく、ここで、１つのサブスロットは４つのシンボルを含み、他のサブスロットは７つのシンボルを含み、などである。この実施例は、これを特に限定しない。
【００６８】
ここで、前記第１のシンボルは、前記第１の時間ユニット内の１番目のシンボル及び前記第１の時間ユニット内の最後のシンボルのうち少なくとも１つを含むが、これに限定されず、この実施例は、これを特に限定しない。
【００６９】
第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０及びシンボル１３のうちの少なくとも１つのシンボルを含む。
【００７０】
任意選択で、この実施例の実現可能な形態において、前記ネットワークデバイスは、さらに、前記端末デバイスが前記第１の時間ユニットに送信した第２の復調信号を受信し、ここで、前記第２の復調信号が前記上りデータを復調するために使用され、前記第２の復調信号が占用するシンボルが前記第１のシンボルを含まない。
【００７１】
一つの具体的な実現過程において、前記第１の復調信号は復調参照信号( Ｄｅｍｏｄｕｌａｔｉｏｎ Ｒｅｆｅｒｅｎｃｅ Ｓｉｇｎａｌ、ＤＭＲＳ )を含み、前記第２の復調信号は上り制御情報( Ｕｐｌｉｎｋ Ｃｏｎｔｒｏｌ Ｉｎｆｏｒｍａｔｉｏｎ、ＵＣＩ )を含み、又は、前記第１の復調信号はＵＣＩを含み、前記第２の復調信号はＤＭＲＳを含み、この実施例はこれを特に限定しない。
【００７２】
他の具体的な実現過程において、前記第２の復調信号が占用するシンボルは、前記第１の復調信号が占用するシンボルを含まなくてもよい。
【００７３】
なお、本願の実施例において、復調信号があるシンボルを占用するとは、該復調信号が当該シンボル上のリソースの全部又は一部により伝送されることを意味し、この実施例はこれを特に限定しない。
【００７４】
他の具体的な実現過程において、前記第２の復調信号が占用するシンボルは、さらに、前記第１の復調信号が占用するシンボルを含み、即ち、第１の復調信号が該シンボル上の一部のリソースで伝送され、第２の復調信号も該シンボル上の一部のリソースで伝送される。
【００７５】
他の具体的な実現過程において、前記第２の復調信号が占用するシンボルは、具体的に、前記第１の復調信号が占用するシンボルに基づいて決定される。
【００７６】
例えば、前記第２の復調信号が占用するシンボルが前記第１の復調信号が占用するシンボルの後の１番目のシンボルを含む。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルは、図２Ｂに示されるように、シンボル２を含むことができる。
【００７７】
また、例えば、前記第２の復調信号が占用するシンボルが前記第１の復調信号が占用するシンボルの前の最後のシンボルを含む。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル３である場合、図２Ｃに示すように、第２の復調信号が占用するシンボルがシンボル２を含むことができる。
【００７８】
また、例えば、前記第２の復調信号が複数のシンボルを占用し、前記第２の復調信号が占用するシンボルにおける１番目のシンボルは、前記第１の復調信号が占用するシンボルの後の１番目のシンボルである。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルのうちの１番目のシンボルがシンボル２である。
【００７９】
また、例えば、前記第１の復調信号が複数のシンボルを占用し、前記第２の復調信号が占用するシンボルは、前記第１の復調信号が占用する１番目のシンボルの後の１番目のシンボルを含む。第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１及びシンボル８である場合、第２の復調信号が占用するシンボルがシンボル２を含むことができる。
【００８０】
また、例えば、ＬＢＴの検出ギャップを確保してこの端末デバイスが免許不要スペクトルで他の通信デバイスと多重伝送を行うために、この端末デバイスがネットワークデバイスに予め構成された時間領域リソースの一部、例えば１つのスロットの１番目のシンボルである０シンボル、最後のシンボルである１３シンボル等の特定位置シンボルでの伝送ができない場合があるため、免許不要スペクトル上で、この実施例で提供する第１の復調信号、第２の復調信号及び上りデータのマッピング構成を用いることで、端末デバイスがネットワークデバイスに予め構成された時間領域リソースで伝送できない可能性のある一部のリソースを上りデータの復調するための復調信号が占用しないことを回避することができ、免許不要スペクトル上で上りデータの復調信号を正しく伝送することができる。
【００８１】
第１の復調信号がＤＭＲＳであり、第２の復調信号がＵＣＩである場合を例にとると、ＤＭＲＳが占用するシンボルがシンボル１であり、ＵＣＩが占用するシンボルがシンボル２である場合、上りデータが占用するリソースは、１つのスロットにおいてＤＭＲＳおよびＵＣＩによって占用されていない他のリソースを含む。
【００８２】
以上の原理により、連続する３つのスロット伝送でＣｏｎｆｉｇｕｒｅ Ｇｒａｎｔ Ｕｐｌｉｎｋの物理上り共有チャネル( Ｐｈｙｓｉｃａｌ Ｕｐｌｉｎｋ Ｓｈａｒｅｄ Ｃｈａｎｎｅｌ、ＰＵＳＣＨ )伝送を行い、各スロットで１つのスロットの全スロットを伝送するマッピング方式を図２ ( Ｄ )に示す。
【００８３】
また、上記の原理に基づき、連続する３つのスロット伝送でＣｏｎｆｉｇｕｒｅ Ｇｒａｎｔ ＵｐｌｉｎｋのＰＵＳＣＨ伝送を行い、かつ、連続した３スロットのうち一部のシンボルを伝送しない可能性がある(例えば、１番目のスロットでシンボル０を伝送しなく、２番目のスロットでシンボル０及びシンボル１３を伝送しない )のマッピング方式を、図２ ( Ｅ )に示すようにしてもよく、図中のＸは送信しないことを示す。
【００８４】
図２ ( Ｄ )及び( Ｅ )に示すように、上記の２つの上り伝送の過程では、ＤＭＲＳ及びＵＣＩの位置が共に破棄できないシンボル上に位置しているため、上りデータを復調するための復調信号が免許不要スペクトルで正しく伝送されるように保証される。
【００８５】
他の具体的な実現過程において、前記第１の復調信号が占用するシンボルは、標準仕様によって規定され得る。
【００８６】
例えば、前記第１の復調信号が占用するシンボルは、具体的に、前記第１の時間ユニット内の２番目のシンボルを含む。
【００８７】
他の具体的な実現過程において、前記第１の復調信号が占用するシンボルは、前記ネットワークデバイスが指示情報を介して前記端末デバイスに送信したものであっても良い。
【００８８】
ここで、前記指示情報は、物理層シグナリングであってもよく、或いはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )シグナリングであってもよく、或いは無線リソース制御( Ｒａｄｉｏ Ｒｅｓｏｕｒｃｅ Ｃｏｎｔｒｏｌ、ＲＲＣ )シグナリングであってもよく、この実施例はこれに限定されない。
【００８９】
指示情報は、物理階層シグナリングである場合、物理階層シグナリングを通じて表示または暗黙的な指示を示すことができる。
【００９０】
例えば、前記ネットワークデバイスは、下り制御情報( Ｄｏｗｎｌｉｎｋ ｃｏｎｔｒｏｌ ｉｎｆｏｒｍａｔｉｏｎ、ＤＣI )によって、端末デバイスに第１の復調信号が占用するシンボル(または第１の復調信号が占用する１番目のシンボル、または第１の復調信号が占用する最後のシンボル)を示す。ここで、前記ＤＣIは、ネットワークデバイスが端末デバイスに第１の時間ユニットを使用し得るか、使用を禁止され得るかを指示する情報さらに含む。
【００９１】
また、例えば、ＤＣIフォーマット１は、第１の復調信号が占用するシンボル(たとえば、第１の復調信号がシンボル３を占用する )に対応し、ＤＣIフォーマット２は、別の第１の復調信号が占用するシンボル(たとえば、第１の復調信号がシンボル５を占用する )に対応する。端末デバイスがＤＣIフォーマット１を受信すると、第１の復調信号が占用するシンボルがシンボル３を含むと決定され、端末デバイスがＤＣIフォーマット２を受信すると、第１の復調信号が占用するシンボルがシンボル５を含むと決定され得る。
【００９２】
なお、指示情報は、ＲＲＣシグナリングと物理層シグナリングとの組合せであってもよい。例えば、ネットワークデバイスは、第１の復調信号がシンボルを占用する少なくとも２つのタイプの構成を構成し、端末デバイスが１回の上り伝送で少なくとも２つのタイプの構成のいずれを使用すべきかをＤＣIにより示す。
【００９３】
任意選択で、この実施例では、ＵＣＩは、上りデータを復調するための制御情報を含んでいるので、上りデータを復調するために必要な復調信号であるとも言える。
【００９４】
ここで、前記ＵＣＩは、
前記第１の伝送ブロックに対応するハイブリッド自動要求再送（Ｈｙｂｒｉｄ Ａｕｔｏｍａｔｉｃ Ｒｅｐｅａｔ ｒｅＱｕｅｓｔ、ＨＡＲＱ）識別子、前記端末デバイスの識別子、前記第１の時間ユニットの開始シンボル、前記第１の時間ユニットの終了シンボル及び前記第１の伝送ブロックに含まれるコードブロックグループ（Ｃｏｄｅ Ｂｌｏｃｋ Ｇｒｏｕｐ、ＣＢＧ）指示のうち少なくとも一つを含むことができるが、これに限定されない。
【００９５】
例えば、前記第１の時間ユニットにおける前記上りデータのマッピングの開始位置は、前記第１の時間ユニット内の１番目のシンボルを含む。このように、上りデータが前記第１の時間ユニット内の１番目のシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル０からマッピングされ、シンボル１３までマッピングが終了し、図２Ｆに示すように、そのマッピング方式が簡単である。
【００９６】
また、例えば、前記第１の時間ユニットにおける前記上りデータのマッピングの開始位置は、前記第１の時間ユニット内の１番目のシンボル以外のあるシンボルを含み、ここで、前記第１の時間ユニット内の１番目のシンボルに上りデータがマッピングされない。このように、上りデータが前記第１の時間ユニット内の１番目のシンボル以外のあるシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３までマッピングが終了し、ここで、図２Ｇに示すように、シンボル０に上りデータがマッピングされない。
【００９７】
また、例えば、前記第１の時間ユニットにおける前記上りデータのマッピングの終了位置は、前記第１の時間ユニット内の１番目のシンボルを含む。このように、上りデータが前記第１の時間ユニット内の他のシンボルからマッピングされ、最後のシンボルを経由して１番目のシンボルに戻ってマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３を経由してシンボル０に戻ってマッピングが終了し、図２Ｈに示すように、そのマッピング方式が複雑であるが、上りデータのシステム情報の伝送が保証される。
【００９８】
この実施例において、ネットワークデバイスが、端末デバイスが免許不要スペクトルにおける第１の時間ユニットに送信した、第１の復調信号と第１の伝送ブロックによりレートマッチングされた上りデータとを受信し、ここで、前記第１の復調信号が前記上りデータを復調するために使用され、前記第１の復調信号が占用するシンボルが第１のシンボルを含まず、ここで、前記第１のシンボルが前記第１の時間ユニット内の１番目のシンボル及び前記第１の時間ユニット内の最後のシンボルのうちの少なくとも１つのシンボルを含むことで、端末デバイスがネットワークデバイスに予め構成された時間領域リソースで伝送できない可能性のある一部のリソースを上りデータの復調するための復調信号が占用しないことを回避することができ、免許不要スペクトル上で上りデータの復調信号を正しく伝送することができる。
【００９９】
図４は、本願の実施例による端末デバイス４００の概略的なブロック図であり、図４に示すように、この実施例は、図２Ａに対応する実施例における方法を実行するための端末デバイス４００を提供する。
【０１００】
具体的には、端末デバイス４００は、図２Ａに対応する実施例における方法を実行するための機能モジュールを含む。端末デバイス４００が送信ユニット４１０を含み、送信ユニット４１０は、免許不要スペクトルにおける第１の時間ユニットにおいてネットワークデバイスに第１の復調信号と第１の伝送ブロックレートマッチングされた上りデータを送信し、ここで、前記第１の復調信号が前記上りデータを復調するために使用され、前記第１の復調信号が占用するシンボルが第１のシンボルを含まず、
ここで、前記第１のシンボルは、前記第１の時間ユニット内の１番目のシンボル及び前記第１の時間ユニット内の最後のシンボルのうち少なくとも１つを含むが、これに限定されず、この実施例は、これを特に限定しない。
【０１０１】
任意選択で、この実施例の実現可能な形態において、前記送信ユニット４１０は、さらに、前記第１の時間ユニットにおいて前記ネットワークデバイスに第２の復調信号を送信するように構成され、ここで、前記第２の復調信号が前記上りデータを復調するために使用され、前記第２の復調信号が占用するシンボルが前記第１のシンボルを含まない。
【０１０２】
具体的に、前記第２の復調信号が占用するシンボルは、前記第１の復調信号が占用するシンボルを含まなくてもよい。
【０１０３】
他の具体的な実現過程において、前記第２の復調信号が占用するシンボルは、さらに、前記第１の復調信号が占用するシンボルを含み、即ち、第１の復調信号が該シンボル上の一部のリソースで伝送され、第２の復調信号も該シンボル上の一部のリソースで伝送される。
【０１０４】
他の具体的な実現過程において、前記第２の復調信号が占用するシンボルは、具体的に、前記第１の復調信号が占用するシンボルに基づいて決定される。
【０１０５】
他の具体的な実現過程において、前記第１の復調信号が占用するシンボルは、標準仕様によって規定され得る。
【０１０６】
例えば、前記第１の復調信号が占用するシンボルは、具体的に、前記第１の時間ユニット内の２番目のシンボルを含む。
【０１０７】
他の具体的な実現過程において、前記第１の復調信号が占用するシンボルは、前記ネットワークデバイスが指示情報を介して前記端末デバイスに送信したものであっても良い。
【０１０８】
ここで、前記指示情報は、物理層シグナリングであってもよく、或いはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )シグナリングであってもよく、或いは無線リソース制御( Ｒａｄｉｏ Ｒｅｓｏｕｒｃｅ Ｃｏｎｔｒｏｌ、ＲＲＣ )シグナリングであってもよく、この実施例はこれに限定されない。
【０１０９】
なお、前記指示情報は、ＲＲＣシグナリングと物理層シグナリングとの組合せであってもよい。例えば、ネットワークデバイスは、第１の復調信号がシンボルを占用する少なくとも２つのタイプの構成を構成し、端末デバイスが１回の上り伝送で少なくとも２つのタイプの構成のいずれを使用すべきかをＤＣIにより示す。
【０１１０】
他の具体的な実現過程において、前記第１の復調信号は復調参照信号( Ｄｅｍｏｄｕｌａｔｉｏｎ Ｒｅｆｅｒｅｎｃｅ Ｓｉｇｎａｌ、ＤＭＲＳ )を含み、前記第２の復調信号は上り制御情報( Ｕｐｌｉｎｋ Ｃｏｎｔｒｏｌ Ｉｎｆｏｒｍａｔｉｏｎ、ＵＣＩ )を含み、又は、前記第１の復調信号はＵＣＩを含み、前記第２の復調信号はＤＭＲＳを含み、この実施例はこれを特に限定しない。
【０１１１】
任意選択で、この実施例では、ＵＣＩは、上りデータを復調するための制御情報を含んでいるので、上りデータを復調するために必要な復調信号であるとも言える。
【０１１２】
ここで、前記ＵＣＩは、
前記第１の伝送ブロックに対応するハイブリッド自動要求再送（Ｈｙｂｒｉｄ Ａｕｔｏｍａｔｉｃ Ｒｅｐｅａｔ ｒｅＱｕｅｓｔ、ＨＡＲＱ）識別子、前記端末デバイスの識別子、前記第１の時間ユニットの開始シンボル、前記第１の時間ユニットの終了シンボル及び前記第１の伝送ブロックに含まれるコードブロックグループ（Ｃｏｄｅ Ｂｌｏｃｋ Ｇｒｏｕｐ、ＣＢＧ）指示のうち少なくとも一つを含むことができるが、これに限定されない。
【０１１３】
例えば、前記第１の時間ユニットにおける前記上りデータのマッピングの開始位置は、前記第１の時間ユニット内の１番目のシンボルを含む。このように、上りデータが前記第１の時間ユニット内の１番目のシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル０からマッピングされ、シンボル１３までマッピングが終了し、そのマッピング方式が簡単である。
【０１１４】
また、例えば、前記第１の時間ユニットにおける前記上りデータのマッピングの開始位置は、前記第１の時間ユニット内の１番目のシンボル以外のあるシンボルを含み、ここで、前記第１の時間ユニット内の１番目のシンボルに上りデータがマッピングされない。このように、上りデータが前記第１の時間ユニット内の１番目のシンボル以外のあるシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３までマッピングが終了し、ここで、シンボル０に上りデータがマッピングされない。
【０１１５】
また、例えば、前記第１の時間ユニットにおける前記上りデータのマッピングの終了位置は、前記第１の時間ユニット内の１番目のシンボルを含む。このように、上りデータが前記第１の時間ユニット内の他のンボルからマッピングされ、最後のシンボルを経由して１番目のシンボルに戻ってマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３を経由してシンボル０に戻ってマッピングが完了し、そのマッピング方式が複雑であるが、上りデータのシステム情報の伝送が保証される。
【０１１６】
図５は本願の実施例によって提供されるネットワークデバイス５００の概略ブロック図であり、図５に示すように、この実施例は、図３に対応する実施例における方法を実行するためのネットワークデバイスを提供する。
【０１１７】
具体的に、該ネットワークデバイス５００は、図３に対応する方法を実行する機能モジュールを含む。ネットワークデバイス５００は、受信ユニット５１０を含み、受信ユニット５１０は、端末デバイスが免許不要スペクトルにおける第１の時間ユニットに送信した、第１の復調信号と第１の伝送ブロックレートマッチングされた上りデータを受信するように構成され、ここで、前記第１の復調信号が前記上りデータを復調するために使用され、前記第１の復調信号が占用するシンボルが第１のシンボルを含まず、
ここで、前記第１のシンボルは、前記第１の時間ユニット内の１番目のシンボル及び前記第１の時間ユニット内の最後のシンボルのうち少なくとも１つを含むが、これに限定されず、この実施例は、これを特に限定しない。
【０１１８】
任意選択で、この実施例の実現可能な形態において、前記受信ユニット５１０は、さらに、前記端末デバイスが前記第１の時間ユニットに送信した第２の復調信号を受信するように構成され、ここで、前記第２の復調信号が前記上りデータを復調するために使用され、前記第２の復調信号が占用するシンボルが前記第１のシンボルを含まない。
【０１１９】
具体的に、前記第２の復調信号が占用するシンボルは、前記第１の復調信号が占用するシンボルを含まなくてもよい。
【０１２０】
他の具体的な実現過程において、前記第２の復調信号が占用するシンボルは、さらに、前記第１の復調信号が占用するシンボルを含み、即ち、第１の復調信号が該シンボル上の一部のリソースで伝送され、第２の復調信号も該シンボル上の一部のリソースで伝送される。
【０１２１】
他の具体的な実現過程において、前記第２の復調信号が占用するシンボルは、具体的に、前記第１の復調信号が占用するシンボルに基づいて決定される。
【０１２２】
他の具体的な実現過程において、前記第１の復調信号が占用するシンボルは、標準仕様によって規定され得る。
【０１２３】
例えば、前記第１の復調信号が占用するシンボルは、具体的に、前記第１の時間ユニット内の２番目のシンボルを含む。
【０１２４】
他の具体的な実現過程において、前記第１の復調信号が占用するシンボルは、前記ネットワークデバイスが指示情報を介して前記端末デバイスに送信したものであっても良い。
【０１２５】
ここで、前記指示情報は、物理層シグナリングであってもよく、或いはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )シグナリングであってもよく、或いは無線リソース制御( Ｒａｄｉｏ Ｒｅｓｏｕｒｃｅ Ｃｏｎｔｒｏｌ、ＲＲＣ )シグナリングであってもよく、この実施例はこれに限定されない。
【０１２６】
なお、前記指示情報は、ＲＲＣシグナリングと物理層シグナリングとの組合せであってもよい。例えば、ネットワークデバイスは、第１の復調信号がシンボルを占用する少なくとも２つのタイプの構成を構成し、端末デバイスが１回の上り伝送で少なくとも２つのタイプの構成のいずれを使用すべきかをＤＣIにより示す。
【０１２７】
他の具体的な実現過程において、前記第１の復調信号は復調参照信号( Ｄｅｍｏｄｕｌａｔｉｏｎ Ｒｅｆｅｒｅｎｃｅ Ｓｉｇｎａｌ、ＤＭＲＳ )を含み、前記第２の復調信号は上り制御情報( Ｕｐｌｉｎｋ Ｃｏｎｔｒｏｌ Ｉｎｆｏｒｍａｔｉｏｎ、ＵＣＩ )を含み、又は、前記第１の復調信号はＵＣＩを含み、前記第２の復調信号はＤＭＲＳを含み、この実施例はこれを特に限定しない。
【０１２８】
任意選択で、この実施例では、ＵＣＩは、上りデータを復調するための制御情報を含んでいるので、上りデータを復調するために必要な復調信号であるとも言える。
【０１２９】
ここで、前記ＵＣＩは、
前記第１の伝送ブロックに対応するハイブリッド自動要求再送（Ｈｙｂｒｉｄ Ａｕｔｏｍａｔｉｃ Ｒｅｐｅａｔ ｒｅＱｕｅｓｔ、ＨＡＲＱ）識別子、前記端末デバイスの識別子、前記第１の時間ユニットの開始シンボル、前記第１の時間ユニットの終了シンボル及び前記第１の伝送ブロックに含まれるコードブロックグループ（Ｃｏｄｅ Ｂｌｏｃｋ Ｇｒｏｕｐ、ＣＢＧ）指示のうち少なくとも一つを含むことができるが、これに限定されない。
【０１３０】
例えば、前記第１の時間ユニットにおける前記上りデータのマッピングの開始位置は、前記第１の時間ユニット内の１番目のシンボルを含む。このように、上りデータが前記第１の時間ユニット内の１番目のシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル０からマッピングされ、シンボル１３までマッピングが終了し、そのマッピング方式が簡単である。
【０１３１】
また、例えば、前記第１の時間ユニットにおける前記上りデータのマッピングの開始位置は、前記第１の時間ユニット内の１番目のシンボル以外のあるシンボルを含み、ここで、前記第１の時間ユニット内の１番目のシンボルに上りデータがマッピングされない。このように、上りデータが前記第１の時間ユニット内の１番目のシンボル以外のあるシンボルからマッピングされ、第１の時間ユニット内の最後のシンボルまでマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３までマッピングが終了し、ここで、シンボル０に上りデータがマッピングされない。
【０１３２】
また、例えば、前記第１の時間ユニットにおける前記上りデータのマッピングの終了位置は、前記第１の時間ユニット内の１番目のシンボルを含む。このように、上りデータが前記第１の時間ユニット内の他のシンボルからマッピングされ、最後のシンボルを経由して１番目のシンボルに戻ってマッピングが終了し、第１の時間ユニットが１４個のシンボルを含むスロットである場合を例にとると、シンボルが０から番号を付け、すなわち、１つのスロットは、シンボル０、シンボル１、……、シンボル１３を含み、前記第１のシンボルがシンボル０で、第１の復調信号が占用するシンボルがシンボル１である場合、第２の復調信号が占用するシンボルがシンボル２を含むことができ、そして、シンボル０、シンボル３〜シンボル１３のこれらのシンボルにおいて、上りデータがシンボル３からマッピングされ、シンボル１３を経由してシンボル０に戻ってマッピングが完了し、そのマッピング方式が複雑であるが、上りデータのシステム情報の伝送が保証される。
【０１３３】
図６は、本願の実施例に係る通信デバイス６００の概略構成図である。図６に示す通信デバイス６００は、メモリからコンピュータプログラムを呼び出して実行することにより、本願の実施例における方法を実現するプロセッサ６１０を有する。
【０１３４】
任意選択で、図６に示されるように、通信デバイス６００は、メモリ６２０をさらに含み得る。プロセッサ６１０は、メモリ６２０からコンピュータプログラムを呼び出して実行することにより、本願の実施例における方法を実施する。
【０１３５】
ここで、メモリ６２０は、プロセッサ６１０とは独立した１つの別個の部品であってもよく、プロセッサ６１０に集積されてもよい。
【０１３６】
任意選択で、図６に示すように、通信デバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【０１３７】
送受信機６３０は、送信機および受信機を含み得る。送受信機６３０は、１つ以上の数のアンテナをさらに含むことができる。
【０１３８】
任意選択で、通信デバイス６００は、特に、本願の実施例のネットワークデバイスであってもよく、通信デバイス６００は、本願の実施例の様々な方法においてネットワークデバイスにより実施される対応するフローを実施してもよく、簡潔性のために、ここで説明を省略する。
【０１３９】
任意選択で、通信デバイス６００は、特に、本願の実施例の端末デバイスであってもよく、通信デバイス６００は、本願の実施例の様々な方法において端末デバイスによって実施される対応するフローを実施してもよく、簡潔のためにここでは詳しい説明を省略する。
【０１４０】
図７は、本願の実施例に係るチップ７００の概略構成図である。図７に示されるチップ７００は、メモリからコンピュータプログラムを呼び出して実行することにより、本願の実施例における方法を実行することができるプロセッサ７１０を含む。
【０１４１】
任意選択で、図７に示されるように、チップ７００は、メモリ７２０をさらに含むことができる。プロセッサ７１０は、メモリ７２０からコンピュータプログラムを呼び出して実行することにより、本願の実施例における方法を実現することができる。
【０１４２】
ここで、メモリ７２０は、プロセッサ７１０とは独立した別個の部品であってもよく、プロセッサ７１０に集積されていてもよい。
【０１４３】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１４４】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１４５】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１４６】
任意選択で、チップは、本願の実施例における端末デバイスに適用されてもよく、チップは、本願の実施例の様々な方法において端末デバイスによって実施される対応するフローを実施してもよく、簡潔にするためにここでは詳しい説明を省略する。
【０１４７】
なお、本願の実施例で言及されるチップは、システムチップ、チップシステム、またはシステムオンチップなどと呼ばれることもある。
【０１４８】
図８は、本願の実施例によって提供される通信システム８００の概略ブロック図である。図８に示すように、通信システム８００は、端末デバイス８１０と、ネットワークデバイス８２０とを備える。
【０１４９】
ここで、該端末デバイス８１０は、上記方法において端末デバイスによって実現されるそれぞれの機能を実現するために使用されてもよく、該ネットワークデバイス８２０は、上記方法においてネットワークデバイスによって実現されるそれぞれの機能を実現するために使用されてもよく、簡潔にするために、ここでは詳しい説明を省略する。
【０１５０】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路（ Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ ）、既存のプログラマブルゲートあれイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５１】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ（ Ｅｌｅｃｔｒｉｃａｌｌｙ ＥＰＲＯＭ、ＥＥＰＲＯＭ ）、又はフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡM )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５２】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ（ ｓｙｎｃｈｒｏｎｏｕs ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ（ ｓｙｎｃｈ ｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１５３】
本願の実施例は、コンピュータプログラムを記憶するためのコンピュータ可読記憶媒体をさらに提供する。
【０１５４】
任意選択的に、コンピュータ可読記憶媒体は、本願の実施例におけるネットワークデバイスに適用されてもよく、コンピュータプログラムは、コンピュータに、本願の実施例の各方法においてネットワークデバイスによって実施される
任意選択で、本願の実施例における端末デバイスには、コンピュータ読み取り可能な記録媒体が適用されてもよく、コンピュータプログラムは、コンピュータに、本願の実施例の各方法における端末デバイスによって実現される対応するフローを実行させ、簡潔にするために、ここでは詳しい説明を省略する。
【０１５５】
本願の実施例は、コンピュータプログラム命令を含むコンピュータプログラム製品も提供する。
【０１５６】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明を省略する。
【０１５７】
任意選択で、コンピュータプログラム製品は、本願の実施例における端末デバイスに適用されてもよく、コンピュータプログラム命令は、コンピュータに、本願の実施例の各方法において端末デバイスによって実施される対応するフローを実行させ、簡潔にするために、ここでは詳しい説明を省略する。
【０１５８】
本願の実施例は、コンピュータプログラムをさらに提供する。
【０１５９】
任意選択で、本願の実施例に係るネットワークデバイスにコンピュータプログラムを適用し、コンピュータプログラムがコンピュータ上で実行される場合、コンピュータプログラムは、本願の実施例に係る方法の各々において、ネットワークデバイスにより実現される対応するフローをコンピュータに実行させ、簡潔にするために、ここでは詳しい説明を省略する。
【０１６０】
任意選択で、本願の実施例に係る端末デバイスにコンピュータプログラムを適用し、コンピュータプログラムがコンピュータ上で実行される場合、コンピュータプログラムは、本願の実施例に係る方法の各々において、端末デバイスにより実現される対応するフローをコンピュータに実行させ、簡潔にするために、ここでは詳しい説明を省略する。
【０１６１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１６２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１６３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、この実施例の目的は、必要に応じて各部の一部又は全部を選択して実施することができる。
【０１６５】
また、本願の各実施例における各機能部は、１つの処理部に集積されてもよいし、各部は、物理的に別個に存在してもよいし、２つ以上の部が１つの部に集積されてもよい。
【０１６６】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ次ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６７】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021529456.tif 000003
【図２Ａ】
2021529456.tif 000004
【図２Ｂ】
2021529456.tif 000005
【図２Ｃ】
2021529456.tif 000006
【図２Ｄ】
2021529456.tif 000007
【図２Ｅ】
2021529456.tif 000008
【図２Ｆ】
2021529456.tif 000009
【図２Ｇ】
2021529456.tif 000010
【図２Ｈ】
2021529456.tif 000011
【図３】
2021529456.tif 000012
【図４】
2021529456.tif 000013
【図５】
2021529456.tif 000014
【図６】
2021529456.tif 000015
【図７】
2021529456.tif 000016
【図８】
2021529456.tif 000017
【国際調査報告】
2021529456.tif 000018
2021529456.tif 000019
2021529456.tif 000020
2021529456.tif 000021
2021529456.tif 000022